(57)【要約】【課題】  二つの交換レンズを着脱可能とする二つのマウントを備えた撮像装置において、種類の異なるレンズをそれぞれに取り付けた場合、およびズーミング操作をおこなう場合でも、ケラレを発生することなく撮影すること。【解決手段】二つのマウントを備えた撮像装置において、各々のマウントに装着されたレンズからレンズ固有のレンズ光学情報を取得する手段と、前記二つのマウントに取り付ける二本のレンズの組み合わせにより画角にケラレが発生する可能性がある場合にはケラレが発生しないズーム範囲を決定するテーブル情報を持ち、前記レンズ光学情報取得手段によって取得したレンズ光学情報を前記テーブル情報と比較することにより、ケラレが発生するか否かを判定し、ケラレが発生する場合は、前記テーブル情報により、装着された二本のレンズの少なくとも一本のレンズのズーム可能範囲をケラレが発生しないズーム範囲に制限することを特徴とする。【選択図】  図４
2013231925.tif 000002
【特許請求の範囲】
【請求項１】
二つのマウントを備えた撮像装置において、
各々のマウントに装着されたレンズからレンズ固有のレンズ光学情報を取得する手段と、
前記二つのマウントに取り付ける二本のレンズの組み合わせにより画角にケラレが発生する可能性がある場合にはケラレが発生しないズーム範囲を決定するテーブル情報を持ち、
前記レンズ光学情報取得手段によって取得したレンズ光学情報を前記テーブル情報と比較することにより、
ケラレが発生するか否かを判定し、
ケラレが発生する場合は、
前記テーブル情報により、装着された二本のレンズの少なくとも一本のレンズのズーム可能範囲をケラレが発生しないズーム範囲に制限することを特徴とする撮像装置。
【請求項２】
前記撮像装置において、
前記レンズ光学情報取得手段によって少なくとも一方のレンズの上記レンズ光学情報を取得できない場合には、
ズーム光学系をＴ端からＷ端まで駆動させ、画像撮像部に含まれる撮像素子により、撮像される画像をもとにコントラスト値の変化を読み取りケラレの発生の有無を判定し、ズーム可能範囲をケラレが起こらないズーム範囲に制限することを特徴とする請求項１に記載の撮像装置。
【請求項３】
前記レンズ光学情報とは、ＩＤもしくは焦点距離、もしくはその両方であることを特徴とする請求項１又は請求項２に記載の撮像装置。
【発明の詳細な説明】
【技術分野】
【０００１】
本発明は、撮像装置に関し、特に第一の交換レンズを着脱可能とするマウントとは別に、連続撮影用に第二の交換レンズを着脱可能とするマウントを備えた撮像装置に関するものである。
【背景技術】
【０００２】
交換レンズを着脱可能とするマウントを持った従来の撮像装置がある。従来の撮像装置は、サッカーや、フットボールなどの撮影範囲が広範囲な撮影をする為に、ズームレンズのズーム位置を広角位置とする。しかし、プレーする一選手の被写体を撮影する為に、ズーム位置を望遠位置とし、この画角以外に位置する他の選手のプレーや、出来事などの決定的瞬間の撮影を逃がすことがあった。
【０００３】
よって、二つの交換レンズを着脱可能とする二つのマウントを持った撮像装置であり、第一のレンズはズーム位置を望遠位置にて被写体を撮影しながら、第二のレンズはズーム位置を広角位置にて連続的に撮影をおこなうことができ、決定的瞬間の撮影を逃さない撮像装置が望まれている。
【０００４】
特許文献１に二つの交換レンズを着脱可能とする二つのマウントを持った撮像装置が提案されている。
【先行技術文献】
【特許文献】
【０００５】
【特許文献１】特開２０１１−２４７９６６号公報
【発明の概要】
【発明が解決しようとする課題】
【０００６】
しかし、二つのマウントに使用するレンズは広角から望遠まで多様なレンズ鏡胴の長さのレンズを使用することになる。例えば背景技術に示すように第一のレンズはズーム位置を望遠位置にて被写体を撮影しながら、第二のレンズはズーム位置を広角位置にて連続的な撮影をおこなうといった場合に、レンズ鏡胴の長さが長いレンズの鏡胴が、他方のレンズの画角に映りこみケラレが発生するといった問題があった。
【０００７】
また、第一と第二のマウントにレンズ鏡胴の長さの差が少ないレンズを使用した場合においても、ズーミング操作をおこなうことにより、同様の問題がおこる。
【０００８】
そこで、本発明の目的は、二つのマウントを備えた撮像装置において、種類の異なるレンズをそれぞれに取り付けた場合、およびズーミング操作をおこなう場合でも、ケラレを発生することなく撮影することを可能にした二つのマウントを備えたカメラを提供することである。
【課題を解決するための手段】
【０００９】
上記目的を達成するために、本発明は、二つのマウントを備えた撮像装置において、
各々のマウントからレンズ情報を取得する手段を持ち、
両方のレンズのレンズ情報を取得できる場合は、
既存する交換レンズを、上記二つのマウントに取り付ける二本のレンズの組み合わせによりケラレが生じた際にケラレが起こらないズーム範囲を判定するテーブル情報を持ち、
上記取得したレンズ情報を上記テーブル情報と比較し、
ケラレが発生するか否かを判定し、
発生する場合は、
上記テーブル情報のケラレが起こらないズーム範囲内においてのみ操作可能とすることを特徴とする。
【発明の効果】
【００１０】
本発明によれば、二つのマウントを備えた撮像装置において、種類の異なるレンズをそれぞれに取り付けた場合、およびズーミング操作をおこなう場合でも、ケラレを発生することなく撮影することを可能にした二つのマウントを備えたカメラを提供することができる。
【図面の簡単な説明】
【００１１】
【図１】本発明の実施形態にかかわるブロック図
【図２】本発明の実施形態にかかわる撮像装置のテーブル情報
【図３】本発明の実施形態にかかわる撮像装置の前方斜視図
【図４】本発明の実施形態にかかわる撮像装置の前方斜視図
【図５】本発明の実施形態にかかわる撮像装置でのケラレ条件説明図
【図６】本発明の実施形態にかかわるフローチャート
【発明を実施するための形態】
【００１２】
以下に、本発明の好ましい実施の形態を、添付の図面に基づいて説明する。
【００１３】
撮像装置100は、図１に示すように、レンズA部110、レンズB部111、画像撮像部2、テーブル情報3、圧縮伸張処理部4、表示部105、記録再生処理部6、カード制御部7、メモリ11、メモリ制御部12、CPU13、操作部14、レンズ情報比較部15、入出力部16、電源制御部17を備えている。
【００１４】
また、各機能ブロックはそれぞれデータバス18を介して互いにデータ通信可能に接続されている。
【００１５】
このような撮像装置100において、メモリ11は、プログラム記憶領域とデータ作業領域を有し、データバス18を介して各機能ブロックでタイム・シェアリングして使用され、メモリ制御部12により制御及び管理されている。
【００１６】
CPU13は所定のプログラムを実行すること等により、撮像装置100全体を統括制御する中央演算処理回路である。
【００１７】
操作部14はユーザーからのキー操作などに基づいて、CPU13に対して動作指示する機能を有する。
【００１８】
メモリーカード19は、SDカードやコンパクトフラッシュ（登録商標）等の脱着式のフラッシュメモリーであり、撮影データ及等が記録される。
【００１９】
電源制御部17は、バッテリ検出回路、DC-DCコンバータ、通電するブロックを切り替えるスイッチ回路等により構成されており、電池の装着の有無、電池の種類、電池残量の検出を行う。バッテリ23は、リチウムイオン電池等であり、撮像装置100に電源を供給する。
【００２０】
テーブル情報3は、多様に既存する交換レンズを、二つのマウントに取り付ける二本のレンズの組み合わせにより画角にケラレが生じた際に、画角にケラレが起こらないズーム範囲を判定するための情報テーブルである。テーブル情報3の具体的なイメージを図2に示す。記号○は、二本のレンズを使用した際に、画角にケラレの発生がなく使用可能であることを示す。記号○の下段の数値は、画角にケラレの発生がなく二本のレンズが使用可能なズーム範囲を示す。記号×は、二本のレンズを使用した際に、画角にケラレが発生することを示す。
【００２１】
レンズ情報比較部15は、レンズA部110及びレンズB部111が持っている焦点距離を含むレンズ固有のレンズ光学情報を取得し、テーブル情報3と照合することによって、鏡胴が他方のレンズの画角に映りこみによるケラレが起こらないズーム範囲を導き出す。この範囲情報はデータバス118を通ってレンズの動作に、前記撮影可能範囲内でしか働かないように制限をかける。また前記撮影範囲情報は表示部105に撮影可能範囲として、撮影画像とともに表示される。また記録再生処理部6及びカード制御部7を介してメモリーカード部19に画像データが保存される。
【００２２】
本実施形の前方斜視図を図3,4に示す。二つのマウント撮像装置の3D撮影においては、図3に示すように通常、マウントA部103及びマウントB部104にはそれぞれ同一のレンズ、レンズ101及びレンズ102が装着される。このような状態では、鏡胴が他方のレンズの画角に映りこみ、ケラレが発生することはない。
【００２３】
しかし、二つのマウントに使用するレンズは広角から望遠まで多様なレンズ長のものを使用することになる。また、以前から同一のマウントを使用してきたユーザーは、同一のレンズを持っていることはほとんどなく、別の種類のレンズを持つことが通常である。
【００２４】
よって、図4に別々のレンズがついた二つのマウント撮像装置を示す。マウントA部103及びマウントB部104にはそれぞれ異なるレンズ、レンズA部110及びレンズB部111が取りついている。このようなモデルに対し、鏡胴が他方のレンズの画角に映りこみ、ケラレが発生する。ケラレの具体的なイメージを図5に示す。また、マウントA部103及びマウントB部104にレンズ長の差が少ないレンズを使用した場合においても、ズーム操作部106のズーミング操作をおこなうことによりケラレが発生する場合がある。
【００２５】
図6は本実施形における撮影モードに入るまでのフローチャートである。スタート後、ステップS１にてレンズＡ部110及びレンズB部111のレンズ固有のレンズ光学情報があるかを確認し、レンズ情報を取得する。二本の一方でもレンズ情報が取得できなければ、ステップS4へ進み、ズーム駆動のT端からW端までサーチを行う。詳しくは、画像撮像部2に含まれる撮像素子により、画像撮像部2により撮影される画像をもとにコントラスト値（一例）の変化を読み取りケラレの発生の有無と、ケラレが起こらないズーム範囲を判定する。そして、ステップS3へ進み、ケラレが起こらないズーム範囲でしか働かないようにレンズ動作に制限をかけたうえで撮影モードに入る。
【００２６】
また、ステップS１にてレンズ情報が取得できれば、ステップS2へ進み、カメラ本体が有するテーブル情報3とレンズ情報を照合する。ケラレの存在が確認できなければ、ステップS5へ進み、撮影モードに入る。
【００２７】
また、ステップS2にて、ケラレの存在が確認できれば、ステップS3へ進み、ケラレが起こらないズーム範囲でしか働かないようにレンズ動作に制限をかけたうえで撮影モードに入る。
【００２８】
これらのステップを踏むことにより、異なるレンズをそれぞれに取り付けた場合、または、ズーミング操作をおこなう場合においても、ケラレを発生することなく撮影することが可能となる。
【００２９】
以上、本発明の好ましい実施形態について説明したが、本発明はこれらの実施形態に限定されず、その要旨の範囲内で種々の変形及び変更が可能である。
【符号の説明】
【００３０】
2‥‥画像撮像部
3‥‥テーブル情報
15‥‥レンズ情報比較部
100‥‥本体部
101‥‥レンズ
102‥‥レンズ
103‥‥レンズＡ取付け部
104‥‥レンズＢ取付け部
106‥‥ズーム操作部
110‥‥レンズA
111‥‥レンズB 
【図１】
2013231925.tif 000003
【図２】
2013231925.tif 000004
【図３】
2013231925.tif 000005
【図４】
2013231925.tif 000006
【図５】
2013231925.tif 000007
【図６】
2013231925.tif 000008